(57)【要約】【課題】トラス内の清掃にかかる時間の短縮化を図ることができる乗客コンベヤの清掃方法、及び乗客コンベヤの清掃装置を得る。【解決手段】乗客コンベヤのトラス内を清掃するときには、トラスの底部に敷かれている第１のシートの端部に第２のシートを連結する。この後、第１のシート上に堆積しているごみとともに第１のシートを回収しながら第２のシートを移動させて、第２のシートをトラスの底部に敷く。これにより、ごみが堆積した第１のシートの回収と、新たな第２のシートの敷設とが同時に行われ、トラス内の清掃にかかる時間の短縮化が図られる。【選択図】図３
2015218059.tif 000002
【特許請求の範囲】
【請求項１】
トラスの底部に敷かれている第１のシートの端部に第２のシートを連結する連結工程、及び
上記連結工程後、上記第１のシート上に堆積しているごみとともに上記第１のシートを回収しながら上記第２のシートを移動させて、上記第２のシートを上記トラスの底部に敷くシート替え工程
を備えている乗客コンベヤの清掃方法。
【請求項２】
上記第１のシート及び上記第２のシートは、耐火シートである請求項１に記載の乗客コンベヤの清掃方法。
【請求項３】
上記シート替え工程では、上記第１のシートを巻くことにより上記第１のシートを回収する請求項１又は請求項２に記載の乗客コンベヤの清掃方法。
【請求項４】
上記シート替え工程では、上記第２のシートを繰り出しながら、上記第１のシートを回収する請求項１〜請求項３のいずれか一項に記載の乗客コンベヤの清掃方法。
【請求項５】
上記シート替え工程では、上記ごみを吸引装置で吸いながら上記第１のシートを回収する請求項１〜請求項４のいずれか一項に記載の乗客コンベヤの清掃方法。
【請求項６】
トラスの底部に敷かれている第１のシート上に堆積したごみを上記トラス内から除去する乗客コンベヤの清掃装置であって、
上記第１のシートに連結された第２のシートを、上記第１のシートを回収しながら移動させて、上記第２のシートを上記トラスの底部に敷くシート回収装置
を備え、
上記シート回収装置は、
上記トラスの端部の機械室に隣接する床に配置される支持台と、
上記支持台に支持され、上記トラス外で上記第１のシートを巻き取るシート巻き部と、
上記支持台に設けられ、上記機械室内に挿入された状態で上記第１のシートを押さえるシート押さえ部と
を備えている乗客コンベヤの清掃装置。
【請求項７】
上記ごみを吸う吸引部を有する吸引装置
をさらに備え、
上記シート押さえ部は、上記第１のシートが移動する方向について互いに離れた位置で上記第１のシートをそれぞれ押さえる第１の押さえローラ及び第２の押さえローラを有し、
上記吸引部は、上記第１の押さえローラと上記第２の押さえローラとの間に配置されている請求項６に記載の乗客コンベヤの清掃装置。
【発明の詳細な説明】
【技術分野】
【０００１】
この発明は、乗客コンベヤ（例えばエスカレータ及び動く歩道等）のトラス内を清掃する乗客コンベヤの清掃方法、及び乗客コンベヤの清掃装置に関するものである。
【背景技術】
【０００２】
従来、エスカレータのトラスの底部に清掃用マットを設置しておき、作業用ピット側に清掃用マットを引き寄せることにより、清掃用マット上に堆積したごみを回収するエスカレータの清掃方法が提案されている。従来のエスカレータの清掃方法では、循環移動する複数の踏段の一つに清掃用マットを連結して踏段を移動させることにより、作業用ピット側に清掃用マットを引き寄せるようにしている（例えば特許文献１参照）。
【先行技術文献】
【特許文献】
【０００３】
【特許文献１】特開平７−２５２０８１号公報
【発明の概要】
【発明が解決しようとする課題】
【０００４】
しかし、踏段を移動させて清掃用マットを作業用ピット側に引き寄せる従来の方法では、清掃用マットを引き寄せて回収する作業とは別に、トラスの底部に清掃用マットを新たに敷く作業を行わなければならず、トラス内の清掃に時間がかかってしまう。
【０００５】
この発明は、上記のような課題を解決するためになされたものであり、トラス内の清掃にかかる時間の短縮化を図ることができる乗客コンベヤの清掃方法、及び乗客コンベヤの清掃装置を得ることを目的とする。
【課題を解決するための手段】
【０００６】
この発明に係る乗客コンベヤの清掃方法は、トラスの底部に敷かれている第１のシートの端部に第２のシートを連結する連結工程、及び連結工程後、第１のシート上に堆積しているごみとともに第１のシートを回収しながら第２のシートを移動させて、第２のシートをトラスの底部に敷くシート替え工程を備えている。
【０００７】
また、この発明に係る乗客コンベヤの清掃装置は、トラスの底部に敷かれている第１のシート上に堆積したごみをトラス内から除去する乗客コンベヤの清掃装置であって、第１のシートに連結された第２のシートを、第１のシートを回収しながら移動させて、第２のシートをトラスの底部に敷くシート回収装置を備え、シート回収装置は、トラスの端部の機械室に隣接する床に配置される支持台と、支持台に支持され、トラス外で第１のシートを巻き取るシート巻き部と、支持台に設けられ、機械室内に挿入された状態で第１のシートを押さえるシート押さえ部とを備えている。
【発明の効果】
【０００８】
この発明に係る乗客コンベヤの清掃方法、及び乗客コンベヤの清掃装置によれば、ごみが堆積した第１のシートの回収と、新たな第２のシートの敷設とを同時に行うことができ、トラス内の清掃にかかる時間の短縮化を図ることができる。
【図面の簡単な説明】
【０００９】
【図１】この発明の実施の形態１によるエスカレータを示す側面図である。
【図２】図１の第１のシートの端部を示す部分斜視図である。
【図３】図１の第１のシートに第２のシートが連結されている状態のエスカレータを示す側面図である。
【図４】図３の第１のシートを第２のシートとともにトラスの長手方向下側へ移動させている状態のエスカレータを示す側面図である。
【図５】この発明の実施の形態２によるエスカレータの清掃装置をエスカレータに設置している状態を示す側面図である。
【図６】図５のシート回収装置及び吸引装置を示す拡大図である。
【図７】図６のシート回収装置及び吸引装置を示す斜視図である。
【図８】図７のシート押さえ部及び吸引部を示す要部拡大図である。
【発明を実施するための形態】
【００１０】
実施の形態１．
図１は、この発明の実施の形態１によるエスカレータを示す側面図である。図において、上階１と下階２との間には、水平面に対して傾斜するトラス３が設けられている。トラス３は、長手方向上端部（長手方向一端部）の上面を上階１の床の高さに合わせ、長手方向下端部（長手方向他端部）の上面を下階２の床の高さに合わせた状態で配置されている。
【００１１】
トラス３の長手方向上端部には上部機械室４が設けられ、トラス３の長手方向下端部には下部機械室６が設けられている。これにより、上部機械室４には上階１の床が隣接し、下部機械室６には下階２の床が隣接している。上部機械室４には上部スプロケット５が設けられ、下部機械室６には下部スプロケット７が設けられている。上部スプロケット５は、上部機械室４に設置された図示しない駆動機の駆動力により回転される。
【００１２】
トラス３には、踏段チェーン８によって無端状に連結された複数の踏段９が支持されている。踏段チェーン８は、上部スプロケット５及び下部スプロケット７間に巻き掛けられている。各踏段９は、駆動機の駆動力によって上部スプロケット５が回転することにより、上階１と下階２との間で循環移動される。
【００１３】
また、トラス３上には、トラス３の幅方向両側に配置された一対の欄干１０がトラス３の長手方向に沿って設けられている。各欄干１０の外周部には、欄干１０の周囲を周回移動する無端状の移動手摺１１がそれぞれ設けられている。各移動手摺１１は、駆動機の駆動力により、上階１と下階２との間で各踏段９と同期して周回移動される。
【００１４】
トラス３内の底部には、トラス３内に入ったごみを受ける清掃用シートとして第１のシート２１が敷かれている。第１のシート２１は、上部機械室４（トラス３の長手方向上端部）から下部機械室６（トラス３の長手方向下端部）に達するまでトラス３内の底部に連続して敷かれている。また、第１のシート２１は、耐火シートである。
【００１５】
ここで、図２は、図１の第１のシート２１の端部を示す部分斜視図である。第１のシート２１の長さ方向両端部には、連結用の貫通穴２１１が２つずつ設けられている。貫通穴２１１は、第１のシート２１の左右両側部分にそれぞれ設けられている。各貫通穴２１１の内周部には、環状の補強具（はとめ）２１２が取り付けられている。
【００１６】
上部機械室４の底部（トラス３の長手方向上端部の底部）には、複数のフック（突起）１２が設けられている。フック１２は、トラス３内の幅方向両側に１つずつ設けられている。第１のシート２１は、各フック１２を各貫通穴２１１にそれぞれ通して各フック１２に掛けられた状態でトラス３内の底部に敷かれている。これにより、第１のシート２１は、トラス３の長手方向下端部に向かって滑り落ちないようになっている。トラス３内に清掃用シートとして敷かれている第１のシート２１上に堆積したごみは、第１のシート２１をごみとともに回収することによりトラス３内から除去することができる。
【００１７】
次に、第１のシート２１を回収してトラス３内のごみを除去するエスカレータの清掃方法について説明する。図３は、図１の第１のシート２１に第２のシート２２が連結されている状態のエスカレータを示す側面図である。トラス３の底部に清掃用シートとして敷かれている第１のシート２１を回収するときには、まず、第１のシート２１を各フック１２から外す。この後、図３に示すように、第１のシート２１とは別のシートである使用前の新たな第２のシート２２を第１のシート２１に連結部２３で連結する。第２のシート２２は、第１のシート２１と同じ構成の耐火シートである。この例では、第１及び第２のシート２１，２２のそれぞれの連結用の貫通穴に紐を通し、各貫通穴に通した紐を結んで第１のシート２１の端部に第２のシート２２を連結する（連結工程）。
【００１８】
この後、図４に示すように、下部機械室６で第１のシート２１を引いて、第２のシート２２とともに第１のシート２１を下部機械室６に向かって下方（即ち、トラス３の長手方向下側）へ移動させる。これにより、第２のシート２２をトラス３の底部に敷く作業と、第１のシート２１を回収する作業とが同時に行われる。このとき、上部機械室４で第２のシート２２を繰り出しながら、下部機械室６で第１のシート２１を巻くようにする。また、このとき、下部機械室６では、第１のシート２１上に堆積したごみとともに第１のシート２１を回収する。第１のシート２１の回収作業が完了すると、トラス３の底部に敷かれるシートが第１のシート２１から第２のシート２２に替わり、第２のシート２２が清掃用シートとしてトラス３の底部に新たに敷かれる（シート替え工程）。
【００１９】
この後、連結部２３での紐を外して第１のシート２１を第２のシート２２から外し、第１のシート２１をトラス３外へ運ぶ。これにより、第１のシート２１上に堆積したごみが第１のシート２１とともにトラス３内から除去される。また、第２のシート２２が下方へ滑り落ちないように、第２のシート２２の上端部の貫通穴にフック１２を通して、第２のシート２２をフック１２に掛ける（後処理工程）。このようにして、トラス３内の清掃が完了する。
【００２０】
このようなエスカレータの清掃方法では、トラス３の底部に清掃用シートとして敷かれている第１のシート２１に第２のシート２２を連結した後、第１のシート２１を回収しながら第２のシート２２を移動させて、第２のシート２２を清掃用シートとしてトラス３の底部に敷くので、第１のシート２１上に堆積したごみを第１のシート２１とともに回収することができ、トラス３内からごみを容易に除去することができる。また、第１のシート２１の回収作業と、第２のシート２２の敷設作業とを同時に行うことができ、トラス３内の清掃にかかる時間の短縮化を図ることができる。
【００２１】
また、トラス３の底部に清掃用シートとして敷かれる第１及び第２のシート２１，２２が耐火シートであるので、例えば煙草の火がトラス３内に入った場合に、清掃用シートとしての第１及び第２のシート２１，２２が燃えることによる火災事故の発生を防止することができる。
【００２２】
また、第１のシート２１を巻いて第１のシート２１を回収するので、第１のシート２１の取扱いを容易にすることができるとともに、第１のシート２１を回収するときのごみの飛散を抑制することができる。
【００２３】
また、第２のシート２２を繰り出しながら第１のシート２１を回収するので、第１及び第２のシート２１，２２の移動を容易にすることができ、トラス３内の清掃にかかる時間をさらに短縮化することができる。
【００２４】
実施の形態２．
図５は、この発明の実施の形態２によるエスカレータの清掃装置をエスカレータに設置している状態を示す側面図である。本実施の形態では、エスカレータの清掃時に、トラス３内に堆積したごみを除去するための清掃装置がエスカレータに設置される。エスカレータの清掃装置は、下階２に設置されたシート回収装置３１と、上階１に設置されたシート供給装置３２と、シート回収装置３１に設けられた吸引装置３３とを有している。
【００２５】
図６は、図５のシート回収装置３１及び吸引装置３３を示す拡大図である。また、図７は、図６のシート回収装置３１及び吸引装置３３を示す斜視図である。シート回収装置３１は、下部機械室６に隣接する下階２の床に配置された支持台３１２と、支持台３１２に支持され、第１のシート２１をトラス３外で巻き取るシート巻き部３１１と、支持台３１２に設けられ、下部機械室６内に挿入された状態で第１のシート２１を押さえるシート押さえ部３１３とを有している。
【００２６】
支持台３１２は、枠状の土台部３１２ａと、土台部３１２ａに固定され、土台部３１２ａの上方でシート巻き部３１１を回転自在に支持する一対の軸受台部３１２ｂとを有している。土台部３１２ａは、一部を下部機械室６の上方へ突出させた状態で下階２の床に水平に配置されている。各軸受台部３１２ｂは、土台部３１２ａのうち、下階２の床に配置される部分に固定されている。
【００２７】
シート巻き部３１１は、トラス３の幅方向に沿った水平軸線を中心に回転自在な筒状部である。また、シート巻き部３１１は、下階２の床及び下部機械室６の上方に配置されている。シート巻き部３１１は、水平軸線を中心とする回転により、下部機械室６の上面よりも高い位置で第１のシート２１を巻き取る。この例では、図示しないハンドルがシート巻き部３１１の側部に取り付けられており、シート巻き部３１１が手動で回転される。
【００２８】
シート押さえ部３１３は、土台部３１２ａのうち、下部機械室６の上方へ突出した部分に固定されている。また、シート押さえ部３１３は、土台部３１２ａの下方に配置された第１の押さえローラ３１３ａと、土台部３１２ａに固定され、第１の押さえローラ３１３ａを回転自在に支持する一対の縦部材３１３ｂと、トラス３の長手方向について第１の押さえローラ３１３ａから離して配置された第２の押さえローラ３１３ｃと、一対の縦部材３１３ｂにそれぞれ固定され、第２の押さえローラ３１３ｃを回転自在に支持する一対の横部材３１３ｄとを有している。この例では、第２の押さえローラ３１３ｃが第１の押さえローラ３１３ａよりもトラス３の長手方向中間部に近い位置に配置されている。
【００２９】
第１の押さえローラ３１３ａは、トラス３の幅方向に沿った軸線を中心に回転自在になっている。また、第１の押さえローラ３１３ａの軸線方向寸法は、第１のシート２１の幅方向寸法よりも大きくなっている。
【００３０】
第２の押さえローラ３１３ｃは、第１の押さえローラ３１３ａの軸線と平行な軸線を中心に回転自在になっている。また、第２の押さえローラ３１３ｃの軸線方向寸法は、第１のシート２１の幅方向寸法よりも大きくなっている。
【００３１】
第１及び第２の押さえローラ３１３ａ，３１３ｃは、下部機械室６の底部から同じ高さ位置で、トラス３の長手方向（第１のシート２１が移動する方向）について互いに離して配置されている。第１のシート２１は、第１及び第２の押さえローラ３１３ａ，３１３ｃで上方から押さえられている。また、第１のシート２１は、シート巻き部３１１の回転により、第２の押さえローラ３１３ｃ、第１の押さえローラ３１３ａの順に押さえられながら移動し、シート巻き部３１１で巻き取られる。
【００３２】
吸引装置３３は、第１のシート２１上に堆積したごみを下部機械室６内で吸う複数（この例では、３つ）の吸引部３３１と、吸引部３３１でごみを吸うための気流を発生する吸引装置本体３３２と、吸引装置本体３３２と各吸引部３３１とを繋ぎ、各吸引部３３１で吸ったごみを吸引装置本体３３２へ導く吸引管３３３とを有している。
【００３３】
吸引装置本体３３２は、吸引のための駆動力を発生するモータを有している。また、吸引装置本体３３２は、土台部３１２ａのうち、下階２の床に配置されている部分に取り付けられている。吸引管３３３は、この例では曲げ可能なホースになっている。
【００３４】
図８は、図７のシート押さえ部３１３及び吸引部３３１を示す要部拡大図である。各吸引部３３１は、第１の押さえローラ３１３ａと第２の押さえローラ３１３ｃとの間に配置されている。また、第１の押さえローラ３１３ａと第２の押さえローラ３１３ｃとの間では、各吸引部３３１が第１のシート２１の上方に配置されている。各吸引部３３１は、吸引口を下に向けて配置されている。これにより、第１のシート２１上に堆積したごみは、第１のシート２１が第１の押さえローラ３１３ａと第２の押さえローラ３１３ｃとの間を移動するときに、各吸引部３３１に吸引される。また、各吸引部３３１は、第１及び第２の押さえローラ３１３ａ，３１３ｃのそれぞれの軸線に沿った方向へ並べられている。さらに、各吸引部３３１は、図示しない保持具によって横部材３１３ｄに保持されている。
【００３５】
シート供給装置３２の構成は、シート回収装置３１と同様の構成になっている。従って、シート供給装置３２は、支持台３１２と、支持台３１２に支持されたシート巻き部３１１と、支持台３１２に設けられたシート押さえ部３１３とを有している。
【００３６】
シート供給装置３２では、土台部３１２ａの一部を上部機械室４の上方へ突出させた状態で支持台３１２が上階１の床に水平に配置される。また、シート供給装置３２では、上部機械室４内に挿入されたシート押さえ部３１３の第１及び第２の押さえローラ３１３ａ，３１３ｃによって第２のシート２２が押さえられる。さらに、シート供給装置３２では、トラス３外で上部機械室４の上面よりも高い位置にシート巻き部３１１が配置され、シート巻き部３１１を手動で回転させることにより、第２のシート２２がシート巻き部３１１から繰り出される。シート巻き部３１１から繰り出されて上部機械室４内に供給された第２のシート２２は、第１の押さえローラ３１３ａ、第２の押さえローラ３１３ｃの順に押さえられながら移動し、トラス３内の底部をトラス３の長手方向下端部に向けて移動する。他の構成は実施の形態１と同様である。
【００３７】
次に、第１のシート２１を回収してトラス３内のごみを除去するエスカレータの清掃方法について説明する。トラス３の底部に清掃用シートとして敷かれている第１のシート２１を回収してごみをトラス３内から除去するときには、まず、シート回収装置３１及び吸引装置３３を下階２に設置するとともに、シート供給装置３２を上階１に設置する（清掃装置設置工程）。
【００３８】
この後、シート供給装置３２において、使用前の新たな第２のシート２２が巻かれたシート巻き部３１１から第２のシート２２を繰り出しながら、上部機械室４内の第１及び第２の押さえローラ３１３ａ，３１３ｃの下方に通した後、実施の形態１と同様にして、トラス３の底部に清掃用シートとして敷かれている第１のシート２１の上端部に第２のシート２２の端部を連結部２３で連結する（連結工程）。
【００３９】
この後、シート回収装置３１において、下部機械室６内で第１のシート２１を引きながら、第１及び第２の押さえローラ３１３ａ，３１３ｃの下方に第１のシート２１を通した後、下部機械室６内から上方へ第１のシート２１を引き出して、シート巻き部３１１の外周面に第１のシート２１の端部を接続する（シート回収準備工程）。
【００４０】
この後、シート供給装置３２のシート巻き部３１１を回転させて第２のシート２２を繰り出しながら、シート回収装置３１のシート巻き部３１１を回転させて第１のシート２１を巻き取る。これにより、第２のシート２２が移動しながら第１のシート２１がシート回収装置３１で回収され、第２のシート２２をトラス３の底部に敷く作業と、第１のシート２１を回収する作業とが同時に行われる。このとき、吸引装置３３を駆動させて、第１のシート２１上に堆積したごみを各吸引部３３１で吸いながら、シート回収装置３１のシート巻き部３１１で第１のシート２１を巻き取る。これにより、シート回収装置３１のシート巻き部３１１には、ごみが吸引除去された第１のシート２１が巻き取られる。第１のシート２１の回収作業が完了すると、シート供給装置３２から外れた第２のシート２２が清掃用シートとしてトラス３の底部に新たに敷かれる（シート替え工程）。
【００４１】
この後、実施の形態１と同様にして第１のシート２１を第２のシート２２から外し、シート回収装置３１のシート巻き部３１１によって第１のシート２１をさらに巻き取ることにより、第１のシート２１をトラス３外へ移動させる。また、第２のシート２２が下方へ滑り落ちないように、第２のシート２２の上端部の貫通穴にフック１２を通して、第２のシート２２をフック１２に掛ける（後処理工程）。このようにして、トラス３内の清掃が完了する。
【００４２】
このようなエスカレータの清掃方法では、第１のシート２１上に堆積したごみを吸引装置３３で吸いながら第１のシート２１を回収するので、トラス３内に堆積したごみをより確実にトラス３外へ除去することができる。また、回収した第１のシート２１の清掃も容易にすることができ、第１のシート２１の再利用を容易にすることができる。
【００４３】
また、エスカレータの清掃装置では、下部機械室６内に挿入されたシート押さえ部３１３で第１のシート２１を押さえながら、シート巻き部３１１によってトラス３外で第１のシート２１を巻き取るので、作業スペースを容易に確保することができ、第１のシート２１の回収作業を容易にすることができる。また、シート押さえ部３１３によって第１のシート２１を押さえるので、トラス３内の機器（例えば踏段９等）との接触を避けて第１のシート２１を移動させることができ、第１のシート２１の回収作業を効率良く行うことができる。
【００４４】
また、第１のシート２１上に堆積したごみを吸う吸引部３３１が第１の押さえローラ３１３ａと第２の押さえローラ３１３ｃとの間に配置されているので、第１のシート２１が吸引部３３１の吸引力によって吸引部３３１に吸着することを第１及び第２の押さえローラ３１３ａ，３１３ｃによって防止することができる。これにより、トラス３内の機器との第１のシート２１の接触をより確実に避けることができるとともに、第１のシート２１上に堆積したごみを吸引装置３３で除去しやすくすることができる。
【００４５】
なお、上記の例では、第１のシート２１上に堆積したごみを吸引装置３３で吸いながら第１のシート２１を回収しているが、吸引装置３３はなくてもよい。吸引装置３３がなくても、第１のシート２１上に堆積したごみとともに第１のシート２１を回収することによりトラス３内からごみを除去することができる。
【００４６】
また、各上記実施の形態では、シート替え工程において、第２のシート２２を繰り出しながら第１のシート２１を回収しているが、第２のシート２２を繰り出さずに第１のシート２１を引いて、第１のシート２１を第２のシート２２とともに移動させてもよい。
【００４７】
また、各上記実施の形態では、この発明がエスカレータに適用されているが、動く歩道にこの発明を適用してもよい。
【符号の説明】
【００４８】
３  トラス、６  下部機械室（機械室）、２１  第１のシート、２２  第２のシート、３１  シート回収装置、３１１  シート巻き部、３１２  支持台、３１３  シート押さえ部、３１３ａ  第１の押さえローラ、３１３ｃ  第２の押さえローラ、３３  吸引装置、３３１  吸引部。
【図１】
2015218059.tif 000003
【図２】
2015218059.tif 000004
【図３】
2015218059.tif 000005
【図４】
2015218059.tif 000006
【図５】
2015218059.tif 000007
【図６】
2015218059.tif 000008
【図７】
2015218059.tif 000009
【図８】
2015218059.tif 000010